(57)【要約】【課題】  広範囲における測定エリアの設定を可能にし、かつ、ファインダ部へ充分な光を導く撮像装置を提供する。【解決手段】  本発明の撮像装置（カメラＣＭ）は、被写体からの光を入射させる入射部（撮影レンズＣＬ）と、入射部から入射した光の光路上に設けられており、光を反射させる反射状態及び光を透過させる透過状態とにそれぞれ択一的に切換可能な複数の切換領域を有する調光ミラー１８ａを備えるメインミラー１８と、メインミラー１８を透過した光を反射するサブミラー１９と、サブミラー１９により反射された、調光ミラー１８ａの各切換領域を透過した光を用いて、被写体までの距離情報を測定する複数の測定エリアを有する焦点検出部２０と、複数の切換領域のうち、焦点検出部２０において被写体までの距離情報を測定する際に用いられる測定エリアに応じた調光ミラー１８ａの切換領域を、透過状態に設定する制御部とを備える。【選択図】  図１
2008304576.tif 000002
【特許請求の範囲】
【請求項１】
被写体からの光を入射させる入射部と、
前記入射部から入射した光の光路上に設けられており、前記光を反射させる反射状態及び前記光を透過させる透過状態とにそれぞれ択一的に切換可能な複数の切換領域を有する調光ミラーを備えるメインミラーと、
前記メインミラーを透過した光を反射するサブミラーと、
前記サブミラーにより反射された、前記調光ミラーの各切換領域を透過した光を用いて、前記被写体までの距離情報を測定する複数の測定エリアを有する焦点検出部と、
前記複数の切換領域のうち、前記焦点検出部において前記被写体までの距離情報を測定する際に用いられる前記測定エリアに応じた前記調光ミラーの前記切換領域を、前記透過状態に設定する制御部とを備えることを特徴とする撮像装置。
【請求項２】
前記制御部は、前記調光ミラーの前記切換領域毎に透過率を調整することを特徴とする請求項１記載の撮像装置。
【請求項３】
前記入射部は、撮影レンズを備え、
前記制御部は、前記撮影レンズの開放Ｆ値に応じて、前記調光ミラーの前記透過率を調整することを特徴とする請求項２記載の撮像装置。
【請求項４】
前記被写体の輝度を測定する測光センサを更に備え、
前記制御部は、前記測光センサにより測定された前記被写体の輝度に応じて、前記調光ミラーの前記透過率を調整することを特徴とする請求項２記載の撮像装置。
【請求項５】
前記焦点検出部は、合焦とみなせる許容範囲の指標となるＡＦ敏感度を設定するＡＦ敏感度設定部を備え、
前記制御部は、設定された前記ＡＦ敏感度に応じて、前記調光ミラーの前記透過率を調整することを特徴とする請求項２記載の撮像装置。
【請求項６】
前記被写体を撮影する際に、複数の撮影モードの中から任意の撮影モードを選択するモード選択部を備え、
前記焦点検出部は、前記モード選択部により選択された撮影モードに応じて、前記測定エリアを選択することを特徴とする請求項１乃至請求項５の何れか一項に記載の撮像装置。
【請求項７】
前記モード選択部により、静止被写体を撮影するための撮影モードが選択された場合、
前記制御部は、前記焦点検出部において選択された前記測定エリアに対応する、前記調光ミラーの前記切換領域のみを、前記透過状態に設定することを特徴とする請求項６記載の撮像装置。
【請求項８】
前記モード選択部により、動体被写体を撮影するための撮影モードが選択された場合、
前記焦点検出部においては、前記被写体の動きに応じて前記測定エリアを切換え、
前記制御部は、前記測定エリアの切換えに応じて、前記調光ミラーにおける前記複数の切換領域のそれぞれを、前記透過状態に設定することを特徴とする請求項６記載の撮像装置。
【発明の詳細な説明】
【技術分野】
【０００１】
本発明は、位相差検出方式のオートフォーカス装置を備える撮像装置に関するものである。
【背景技術】
【０００２】
一眼レフカメラには、位相差検出方式のオートフォーカス装置が搭載されている。このオートフォーカス装置においては、撮影レンズを介した被写体光の光路に配置されているメインミラーのハーフミラー部分を透過した光をメインミラー後方に配置されたサブミラーで反射させ、焦点検出部へ導くことにより、被写体までの距離を含む距離情報を測定し、オートフォーカスが行なわれる。
【０００３】
近年、距離情報を測定する際に、測定点を画面中心だけでなく、広範囲にわたって設けるオートフォーカス装置が提案されている。例えば、下記特許文献１には、サブミラーに楕円ミラーを用いることにより、広範囲にわたって距離の測定を行なうことが可能なカメラが開示されている。
【特許文献１】特開平９−１８４９６９号公報
【発明の開示】
【発明が解決しようとする課題】
【０００４】
ところで、距離情報を測定する範囲（測距エリア）が広範囲になるにしたがい、メインミラーのハーフミラー部分も拡大することになるが、ハーフミラー部分は常に光を透過させているものであるため、ハーフミラー部分の拡大に伴い、メインミラーで反射されてファインダ部へ導かれる光が減少する。そのため、ファインダ部に導かれる光量が減少してファインダ像が暗くなってしまい、撮影者が構図の確認等を行なう際に支障をきたすという問題があった。
【０００５】
本発明の課題は、広範囲における測定エリアの設定を可能にし、かつ、ファインダ部へ充分な光を導く撮像装置を提供することである。
【課題を解決するための手段】
【０００６】
以下に本発明の構成を実施形態の符号を付して説明するが、本発明は、この実施形態に限定されるものではない。
【０００７】
本発明の撮像装置は、被写体からの光を入射させる入射部（２３）と、前記入射部から入射した光の光路上に設けられており、前記光を反射させる反射状態及び前記光を透過させる透過状態とにそれぞれ択一的に切換可能な複数の切換領域（１８ａ、１８ａ１、１８ａ２）を有する調光ミラー（１８ａ）を備えるメインミラー（１８）と、前記メインミラーを透過した光を反射するサブミラー（１９）と、前記サブミラーにより反射された、前記調光ミラーの各切換領域を透過した光を用いて、前記被写体までの距離情報を測定する複数の測定エリアを有する焦点検出部（２０）と、前記複数の切換領域のうち、前記焦点検出部において前記被写体までの距離情報を測定する際に用いられる前記測定エリアに応じた前記調光ミラーの前記切換領域を、前記透過状態に設定する制御部（３０、３２）とを備えることを特徴とする。
【発明の効果】
【０００８】
本発明の撮像装置によれば、被写体までの距離情報を測定する際に用いられる焦点検出部の測定エリアに応じた調光ミラーの切換領域のみを透過状態に設定し、他の領域は光を反射する反射状態に設定することができるため、被写体までの距離情報を測定する際においても充分な光をメインミラーで反射させファインダ部に導くことができる。
【発明を実施するための最良の形態】
【０００９】
以下、図面を参照して本発明の第１の実施の形態に係る撮像装置について説明する。なお、本発明における撮像装置には、一眼レフ方式でレンズ交換式のデジタルカメラや、フィルムカメラが含まれるが、以下においては、デジタルカメラを例として説明する。
【００１０】
図１は、本発明の第１の実施の形態に係る一眼レフ方式のデジタルカメラ（以下、カメラという。）ＣＭの概略構成を模式的に示す側断面図である。カメラＣＭは、カメラボディＣＢ及びカメラボディＣＢに交換可能に装着される撮影レンズＣＬを備えている。カメラボディＣＢに装着可能な撮影レンズＣＬは、レンズマウントＬＭを介してカメラボディＣＢに装着されている。撮影レンズＣＬは、レンズ鏡筒内部に、メインレンズ２２、フォーカスレンズ（焦点調節レンズ）２３及び焦点距離調節レンズ（図示省略）等を含む複数のレンズ、並びに絞り（図示省略）等を備えて構成されている。なお、撮影レンズＣＬは、交換可能なものでなく、カメラボディＣＢに一体的に固定されたものであってもよい。
【００１１】
カメラボディＣＢの上部には、ファインダ部ＦＤが一体的又は交換可能に取り付けられている。カメラボディＣＢの内部には、ＣＣＤあるいはＣＭＯＳ等により構成される撮像素子１０が設けられている。撮像素子１０は、撮像面に結像される被写体の像を画像信号に変換して出力する。また、撮像素子１０の前面側には、斜光部材を機械的に駆動して露光時間を調節するためのメカニカルシャッタ１１が設けられている。
【００１２】
カメラボディＣＢ内において、メカニカルシャッタ１１よりも更に前面側には、メインミラー１８及びサブミラー１９が設けられている。図１では、サブミラー１９はメインミラー１８に一体的に固定されているように描かれているが、サブミラー１９はメインミラー１８に回動可能に軸支されておりメインミラー１８は、カメラボディＣＢ内に設けられたカメラフレーム（図示省略）の一部を構成するミラーボックス（図示省略）にそれぞれ回動可能に軸支されている。
【００１３】
メインミラー１８は、撮像素子１０の撮像面に対して略４５度で撮像素子１０の前面を遮断する、即ち撮影レンズＣＬを介して入射する被写体光の光路内に配置されるミラーダウン状態と、図１において時計方向に回動して撮像素子１０の撮像面に対して略直交（フォーカシングスクリーン１２の下側で略平行）となる、即ち撮影レンズＣＬの光路外に配置されるミラーアップ状態となるように、選択的に高速動作可能なミラーである。サブミラー１９は、撮影レンズＣＬを介して入射し、メインミラー１８が有する調光ミラー１８ａを透過した光を反射して焦点検出部２０に導くミラー部材であり、メインミラー１８の回動に連動して回動される。なお、メインミラー１８及びサブミラー１９の回動は、駆動装置（図示省略）により行なわれる。
【００１４】
メインミラー１８は、撮影レンズＣＬから入射する光を反射させる反射状態及び光を透過させる透過状態とにそれぞれ択一的に切換可能な複数の切換領域が設けられた調光ミラー１８ａを有しており、調光ミラー１８ａ以外の部分が全反射ミラーにより構成されている。調光ミラー１８ａには、電圧の印加により可逆的に透過率を変動させることができるエレクトロクロミック方式の調光ミラー（例えば、特開２００５−３０９３０７号公報参照）が用いられている。
【００１５】
撮影レンズＣＬを介し、調光ミラー１８ａに入射した光は、調光ミラー１８ａが反射状態であれば反射してファインダ部ＦＤへ、透過状態であれば透過してサブミラー１９へ、ハーフミラー状態であればその透過率に応じてファインダ部ＦＤとサブミラー１９とに導かれる。調光ミラー１８ａを透過した光は、メインミラー１８の後方に設けられているサブミラー１９で反射され、焦点検出部２０へと導かれる。焦点検出部２０は、カメラフレーム（図示省略）の一部を構成するミラーボックス（図示省略）の底部に取り付けられている。焦点検出部２０においては、周知の位相差検知方式により被写体の距離情報を測定し、測定された距離情報に基づいてデフォーカス量を検出する。焦点検出部２０において検出されたデフォーカス量に基づいて、焦点調節部２１によりレンズ駆動機構２４が駆動され、撮影レンズＣＬ内のフォーカスレンズ２３を光軸ＡＸ方向に移動させて、撮影レンズＣＬの焦点が調節される。
【００１６】
なお、メインミラー１８がミラーアップ状態に切換えられると、撮影レンズＣＬからの光はメカニカルシャッタ１１を介して撮像素子１０に入射される。カメラボディＣＢの背面には、画像表示モニタ（液晶パネル）２５が設けられており、撮像素子１０において撮像された画像を表示可能になっている。
【００１７】
ファインダ部ＦＤは、撮影レンズＣＬやメインミラー１８等を介して形成される被写体の光学像を目視観察するための光学式ファインダであり、フォーカシングスクリーン（焦点板）１２、ペンタプリズム１３、測光素子１４、測光光学系１５、接眼部（接眼レンズ）１６等を備えて構成されている。ファインダ部ＦＤ内部には、フォーカスエリア（被写体までの距離情報を測定する測定エリア）に対応したエリアマークやその他の情報をペンタプリズム１３内に供給し、これらを撮影者がファインダの観察窓１７を介して撮影領域内で重畳的に視認可能とするための装置（図示省略）が設けられている。なお、フォーカスエリアは、複数設けられており、個々のフォーカスエリアを示すエリアマークが観察窓１７を介して撮影領域内で重畳的に視認可能となっている。
【００１８】
カメラＣＭの操作部としては、電源をオン／オフする電源ダイヤル、レリーズボタン、メニューボタン等が設けられている。電源オンとなった時点では、メインミラー１８は、図１に示すようなミラーダウン状態となる。そのため、撮影レンズＣＬからの被写体光は、メインミラー１８により上方に反射されてフォーカシングスクリーン１２上に１次像として結像され、ペンタプリズム１３を介して接眼部１６に導くことで撮影者は観察窓１７を通して被写体の像を目視観察することができる。また、この状態で、フォーカシングスクリーン１２上に結像した被写体の１次像からの光の一部は、ペンタプリズム１３、測光光学系１５を介して、測光素子１４に導かれ、測光素子１４上に２次像として結像され、測光がなされる。なお、メインミラー１８がミラーダウン状態であり、焦点検出が行なわれていない場合、調光ミラー１８ａの透過率は０％であり、入射した光を反射するミラー（反射）状態となっている。
【００１９】
ここで、メインミラー１８が備える調光ミラー１８ａは略矩形状を有しており、焦点検出部２０のフォーカスエリア（測定エリア）に対応した複数の切換領域を有している。例えば、測定エリアが撮影範囲において、右側の領域、中央の領域及び左側の領域に設定されている場合、各測定エリアに対応して、調光ミラー１８ａを右領域、中央領域、左領域として縦に３分割する状態で切換領域が設定されている。なお、例えば、測定エリアが１１個配置されている場合には、調光ミラー１８ａを１１分割した状態となるように切換領域を設定するようにしてもよい。
【００２０】
カメラＣＭは、図２に示すように、カメラＣＭにおける各種処理を制御する制御部（ＣＰＵ）３０を備え、制御部３０には、撮像素子１０、測光素子１４、焦点検出部２０、焦点調節部２１、画像表示モニタ２５及び調光ミラー制御部３２等が接続され、制御部３０において、撮像素子１０、測光素子１４、焦点検出部２０、焦点調節部２１及び調光ミラー制御部３２の制御が行われる。なお、調光ミラー制御部３２においては、制御部３０から制御指令に基づいて、調光ミラー１８ａに対して印加する電圧を変化させることにより、調光ミラー１８ａを、撮影レンズＣＬから入射した光の略全てを反射させるミラー状態（反射状態）と、光を透過させる透過状態とにそれぞれ択一的に切換ることができる。また、透過状態は、光を略完全に透過する透明状態から所定の割合で光を透過させるハーフミラー状態までを含むものである。更に、反射状態と透過状態との切換は、調光ミラー１８ａの切換領域単位で行なうことができると共に、各切換領域に対して印加する電圧を調整することにより、透過率を任意の値に設定することができる。
【００２１】
次に、図３のフローチャートを参照して、本第１の実施の形態に係る撮像装置であるカメラＣＭの動作について説明する。なお、本第１の実施の形態においては、カメラＣＭの撮影モードとして静止被写体を撮影する撮影モードが予め撮影者により選択されている場合（例えば、露出プログラムモードとして、「ポートレートモード」が設定されている場合等）を例として説明する。また、静止被写体を撮影する撮影モードが選択された場合には、オートフォーカスモードとして自動的にシングルモードが選択されるように設定されているものとする。
【００２２】
まず、カメラＣＭの電源ダイヤルが操作され電源がオンされると、メインミラー１８がミラーダウン状態のまま、調光ミラー１８ａの全ての切換領域を反射状態（ミラー状態）にし（ステップＳ１０）、焦点検出操作の実行を指示するレリーズボタンの半押し操作がなされるまで待機する（ステップＳ１１）。即ち、図４に示すように、制御部３０からの制御指令に基づき、調光ミラー制御部３２を介して調光ミラー１８ａに印加する電圧を調整し、調光ミラー１８ａの全ての切換領域における透過率を０％に設定し、略全ての光を反射するミラー状態とする。
【００２３】
レリーズボタンが半押し操作された場合には（ステップＳ１１）、オートフォーカスが有効か無効かを判断する（ステップＳ１２）。オートフォーカスが無効、即ち、既に撮影レンズＣＬの焦点検出が行なわれ、合焦が完了していると判断された場合には（ステップＳ１２）、ステップＳ２１に進み、被写体像の撮像を指示するレリーズボタンの全押し操作がなされたか否かの判断を行なう。
【００２４】
一方、オートフォーカスが有効、即ち、撮影レンズＣＬの焦点検出が行なわれておらず、又は、合焦が完了しておらず、カメラＣＭのオートフォーカス機能が有効となっている場合には（ステップＳ１２）、被写体までの距離情報を測定する際に用いる測定エリアの選択が手動か自動かの判断を行なう（ステップＳ１３）。即ち、本第１の実施の形態に係るカメラＣＭにおいては、初期設定の状態において、オートフォーカス機能が有効となっている場合には、測定エリアの選択が自動的に行われる。一方、撮影者がファインダ部ＦＤの観察窓１７を介して構図を確認し、手動により任意の測定エリアを選択することも可能である。この場合には、例えば、メニューボタンを用いて所定の操作を行なうことにより、観察窓１７に表示されているエリアマークの中から任意のエリアマークを指定することにより、被写体までの距離情報を測定する際に用いる測定エリアを選択することができる。
【００２５】
測定エリアの選択が自動の場合には（ステップＳ１３）、調光ミラー１８ａの全ての切換領域の透過率を所定の値に設定する（ステップＳ１６）。ここで、測定エリアの選択が自動となっている場合には、全ての測定エリアにおいて被写体までの距離情報を測定し、測定結果に基づいて使用する測定エリアが選択される。従って、まず、制御部３０からの制御指令に基づき調光ミラー制御部３２を介して調光ミラー１８ａに印加する電圧を調整することによって、図５に示すように、調光ミラー１８ａの全ての切換領域における透過率を所定の値、例えば、３０％等に設定し光を透過する透過状態にする。この場合には、図５に示すように、調光ミラー１８ａに入射した光の一部が調光ミラー１８ａを透過しサブミラー１９により下方に反射され焦点検出部２０に入射する。また、調光ミラー１８ａに入射した光の一部は調光ミラー１８ａで上方に反射され、フォーカシングスクリーン１２を介してファインダ部ＦＤに入射する。従って、焦点検出部２０に入射した光を用い、全ての測定エリアにおいて被写体までの距離情報が測定され、測定結果に基づいて、例えば、カメラＣＭから最至近に存在する被写体に対応する測定エリアが、焦点検出に使用される測定エリアとして自動的に選択される。
【００２６】
一方、測定エリアの選択が手動の場合、即ち、撮影者により複数の測定エリアの中から任意の測定エリアが選択される場合には（ステップＳ１３）、撮影者により選択された測定エリアを認識し（ステップＳ１４）、認識された測定エリアに対応した調光ミラー１８ａの切換領域の透過率を所定の値に設定する（ステップＳ１５）。例えば、撮影領域の略中央に位置する測定エリアが手動により選択された場合には、図６に示すように調光ミラー１８ａの略中央に位置する切換領域（図６において透過状態に設定されている領域１８ａ１）の透過率が所定の値、例えば、透過率３０％等に設定される。また、撮影領域の一方の側に位置する測定エリアが選択された場合には、例えば、図７に示すように、測定エリアに対応する調光ミラー１８ａの一方の側に位置する切換領域（図７において透過状態に設定されている領域１８ａ２）の透過率が所定の値に設定される。なお、ステップＳ１５における透過率を設定する処理は、上述のステップＳ１６における処理と略同様の処理であるため、詳細な説明は省略する。
【００２７】
次に、焦点検出部２０においてデフォーカス量を検出し（ステップＳ１７）、検出されたデフォーカス量に基づき焦点調節部２１を介してレンズ駆動機構２４により撮影レンズＣＬのフォーカスレンズ２３を光軸ＡＸ方向へ駆動する（ステップＳ１８）。即ち、焦点検出部２０において、調光ミラー１８ａを透過した光を用いて被写体までの距離情報を測定し、測定された距離情報に基づいてデフォーカス量を検出する。そして、検出されたデフォーカス量に基づいて焦点調節部２１を介してレンズ駆動機構２４により撮影レンズＣＬのフォーカスレンズ２３を光軸ＡＸ方向に駆動し、撮影レンズＣＬの焦点を合わせる。
【００２８】
次に、合焦が完了したか否かを判断し（ステップＳ１９）、合焦が完了していないと判断された場合には（ステップＳ１９）、ステップＳ１８に戻り、再び撮影レンズＣＬのフォーカスレンズ２３を光軸ＡＸ方向に駆動し、撮影レンズＣＬの焦点を合わせる動作を繰り返す。
【００２９】
一方、合焦が完了したと判断された場合には（ステップＳ１９）、調光ミラー１８ａにおいて透過率が所定の値に設定されていた切換領域の透過率を再び０％に切換える（ステップＳ２０）。即ち、調光ミラー１８ａをミラー状態として（図４参照）、入射した光の略全てをファインダ部ＦＤ内に向けて反射させる。なお、ステップＳ２０における処理は、上述のステップＳ１０における処理と同様の処理であるため、詳細な説明は省略する。
【００３０】
次に、レリーズボタンが全押しされたか否かを判断する（ステップＳ２１）。全押しされていないと判断された場合には（ステップＳ２１）、半押し状態が維持されているか否かを判断する（ステップＳ２３）。半押し状態が維持されている場合には（ステップＳ２３）、再びステップＳ２１において全押し状態となったか否かの判断が行われる。一方、半押し状態が解除された場合（ステップＳ２３）、例えば、撮影者がレリーズボタンから指を離した等の状態となった場合には、ステップＳ１１に進み、再びレリーズボタンが半押し状態となるまで待機する。
【００３１】
レリーズボタンが全押しされたと判断された場合には（ステップＳ２１）、メインミラー１８がミラーアップ状態となり露光が開始される（ステップＳ２２）。即ち、メインミラー１８を撮影レンズＣＬの光路外に配置されるミラーアップ状態とすることによって、撮像素子１０の撮像面が所定時間開放され、撮像面に撮影レンズＣＬを介した被写体の像が結像され、被写体の撮影が行なわれる。
【００３２】
本第１の実施の形態に係る撮影装置によれば、選択された測定エリアの位置に対応する調光ミラーの切換領域の透過率を所定の値に設定することができる。即ち、調光ミラーが有する複数の切換領域の中から、被写体の距離情報を測定する際に用いられる測定エリアの位置に対応した切換領域の透過率のみを所定の値に設定している。従って、被写体までの距離情報を測定している場合であっても、距離情報の測定に必要な光のみを透過させることにより、充分な光量をファインダ部に供給することができると共に、測定エリアを広範囲とすることができる。
【００３３】
なお、上述の第１の実施の形態においては、測定エリアが自動的に選択された場合において、調光ミラー１８ａの全ての切換領域の透過率を所定の値に設定しているが、自動的に選択された測定エリアに対応する切換領域の透過率のみを設定するようにしてもよい。例えば、中央の測定エリアが自動的に選択されるように設定されている場合には、中央の切換領域のみ透過状態とするようにしてもよい。
【００３４】
また、切換領域毎に異なる透過率を設定するようにしてもよい。例えば、調光ミラー１８ａの切換領域が、左領域、中央領域及び右領域となっている場合において、中央領域に位置する測定エリアが選択された際に、例えば、左領域及び右領域の透過率を１０％、中央領域の透過率を３０％等に設定するようにしてもよい。同様に、左領域に位置する測定エリアが選択された場合に、例えば、左領域の透過率を３０％、中央領域の透過率を１５％、右領域の透過率を１０％等のように、各切換領域の透過率をそれぞれ異なる値に設定するようにしてもよい。
【００３５】
図８は、この発明の第２の実施の形態に係る撮像装置である一眼レフ方式のデジタルカメラ（カメラＣＭ）の動作について説明するためのフローチャートである。本第２の実施の形態においては、第１の実施の形態に係る撮像装置であるカメラＣＭを用いて説明を行ない、カメラＣＭについての詳細な説明は省略する。また、本第２の実施の形態においては、カメラＣＭの撮影モードとして動体被写体を撮影する撮影モードが、予め撮影者により選択されている場合（例えば、露出プログラムモードとして「スポーツモード」が選択されている場合等）を例として説明する。更に、動体被写体を撮影する撮影モードが選択された場合には、オートフォーカスモードとして自動的にコンティニュアスモードが選択されるように設定されているものとする。
【００３６】
なお、本第２の実施の形態に係るカメラＣＭにおける動作については、図８のフローチャートにより示すステップＳ３０〜ステップＳ３９における処理は、図３のフローチャートにより示す上述の第１の実施の形態におけるステップＳ１０〜ステップＳ１９と同一の処理であり、ステップＳ４０は、ステップＳ２１と、ステップＳ４１はステップＳ２０と、ステップＳ４２及びステップＳ４３は、ステップＳ２２及びステップＳ２３と同一の処理である。即ち、第１の実施の形態と、第２の実施の形態とでは、撮影者により選択された撮影モードの違いに基づき、異なるオートフォーカスモードが設定されているため、実行される処理の順番に相違が生じているものの、その処理内容は実質的に同一のものである。従って、以下においては、処理の順番が異なる部分についてのみ説明を行い、その他の部分については説明を省略する。
【００３７】
具体的には、本第２の実施の形態においては、動体被写体を撮影する撮影モードが予め撮影者により選択されていることから、レリーズボタンが半押しの状態においては、被写体の動きに合わせて合焦動作を行い続けるため、被写体の動きに応じて測定エリアを順次切換える必要がある。ここで、測定エリアの位置に対応した調光ミラー１８ａの切換領域のみが透過状態に設定されている場合、測定エリアの切換に応じて調光ミラー１８ａの切換領域を透過状態に切換えなければならない。従って、図８に示すように、合焦が完了したと判断された場合には（ステップＳ３９）、調光ミラー１８ａを反射状態とする前に、レリーズボタンが全押しされたか否かの判断を行なう（ステップＳ４０）。そして、合焦が完了しているにも拘らず（ステップＳ３９）、その時点においてレリーズボタンが全押しされず（ステップＳ４０）、半押し状態が継続している場合には（ステップＳ４３）、再度デフォーカス量の検出が行なわれる（ステップＳ３７）。この場合、オートフォーカスモードがコンティニュアスモードとなっているため、被写体の動きに応じて測定エリアがカメラ側で自動的に切換えられることから、その切換えられた測定エリアに追従するように、調光ミラー１８ａの切換領域の中で対応する切換領域が透過状態に設定され、焦点検出部２０によりデフォーカス量の検出が行なわれる。そして、検出されたデフォーカス量に基づいて撮影レンズＣＬのフォーカスレンズ２３が光軸ＡＸ方向に駆動され（ステップＳ３８）、合焦が完了したか否かが判断される（ステップＳ３９）。
【００３８】
本第２の実施の形態に係る撮像装置によれば、被写体までの距離情報を測定する際に用いる測定エリアを、動体である被写体の動きに応じて切換え、測定エリアの切換に応じて調光ミラーにおいて測定エリアに対応する位置の切換領域を透過状態に設定することができる。従って、広範囲の測定エリアを有し、被写体の動きに応じて測定エリアを切換え、被写体までの距離情報を測定している場合であっても、ファインダ部に供給される光量を適切に維持することができる。
【００３９】
なお、上述の実施の形態においては、距離情報の測定に用いられる測定エリアに応じた調光ミラー１８ａの切換領域を透過状態に設定しているが、更に撮影レンズの明るさを示す指標である開放Ｆ値に応じて調光ミラー１８ａの切換領域における透過率を設定するようにしてもよい。例えば、撮影レンズＣＬをカメラボディＣＢに装着した際には（図１参照）、装着された撮影レンズＣＬの開放Ｆ値を示すデータを含む所定情報が図示しない通信部を介して制御部３０において取得される。従って、取得された所定情報に含まれる開放Ｆ値に応じ、例えば、開放Ｆ値が小さい場合には、調光ミラー１８ａの切換領域における透過率を低く、開放Ｆ値が大きい場合には、調光ミラー１８ａの切換領域における透過率を高く設定すべく、調光ミラー制御部３２を介して調光ミラー１８ａの切換領域に印加される電圧を調整するようにしてもよい。この場合に、切換領域毎に印加される電圧を調整し、各切換領域の透過率を異なる値に設定するようにしてもよい。
【００４０】
また、上述の実施の形態に係るカメラＣＭにおいては、測光素子１４（測光センサ）において、結像される像の明るさ（被写体の輝度）を測定しているため、測定された被写体の輝度に応じて、調光ミラー１８ａの切換領域の透過率を設定するようにしてもよい。即ち、測光素子１４における測定値を制御部３０において取得し、制御部３０からの制御指令に基づいて、調光ミラー制御部３２を介して調光ミラー１８ａに印加する電圧の値を制御し、透過率を設定するようにしてもよい。例えば、被写体の輝度が高い場合には、調光ミラー１８ａの切換領域における透過率を低く、被写体の輝度が低い場合には、調光ミラー１８ａの切換領域における透過率を高くすべく、調光ミラー１８ａの切換領域に印加する電圧を調整するようにしてもよい。
【００４１】
また、上述の実施の形態において、制御部３０による制御に基づき焦点検出部２０において合焦とみなせる許容範囲の指標となるＡＦ敏感度を設定して、設定されたＡＦ敏感度に応じて調光ミラー制御部３２を介して調光ミラー１８ａの切換領域に印加する電圧を調整し、透過率を設定するようにしてもよい。即ち、ＡＦ敏感度が高く設定されている場合、例えば、合焦とみなす際のデフォーカス量＝±０．０３μと設定されている場合には、合焦精度が厳しく設定されているため、調光ミラー１８ａの切換領域における透過率が高く設定するようにしてもよい。一方、ＡＦ敏感度が低く設定されている場合、例えば、合焦とみなす際のデフォーカス量＝±０．０５μ以内と設定されている場合には、デフォーカス量＝±０．０３μの場合と比べて合焦精度が緩く設定されていることになるため、調光ミラー１８ａの切換領域における透過率が上記の場合と比べて低めに設定するようにしてもよい。
【００４２】
また、上述の実施の形態においては、撮影モードとして静止被写体を撮影する撮影モードと、動体被写体を撮影する撮影モードとを用いて説明を行なったが、その他の撮影モード、例えば、夜景を撮影する撮影モード等、その他の撮影モードを選択することができるようにしてもよい。この場合には、撮影モードに応じた調光ミラー１８ａの各切換領域における透過率を予め設定するようにしてもよく、例えば、撮影モードとして夜景モードが選択された場合には、通常の撮影よりも調光ミラー１８ａの透過率が高めとなるように予め設定するようにしてもよい。
【図面の簡単な説明】
【００４３】
【図１】本発明の実施の形態に係るカメラの概略構成を示す側断面図である。
【図２】本発明の実施の形態に係るカメラのブロック構成図である。
【図３】本発明の第１の実施の形態に係るカメラの動作を説明するためのフローチャートである。
【図４】本発明の第１の実施の形態に係る調光ミラーを説明するための図である。
【図５】本発明の第１の実施の形態に係る調光ミラーを説明するための図である。
【図６】本発明の第１の実施の形態に係る調光ミラーを説明するための図である。
【図７】本発明の第１の実施の形態に係る調光ミラーを説明するための図である。
【図８】本発明の第２の実施の形態に係るカメラの動作を説明するためのフローチャートである。
【符号の説明】
【００４４】
ＣＭ・・・カメラ、ＣＢ・・・カメラボディ、ＣＬ・・・撮影レンズ、ＦＤ・・・ファインダ部、１０・・・撮像素子、１４・・・測光素子、１８・・・メインミラー、１８ａ・・・調光ミラー、１９・・・サブミラー、２０・・・焦点検出部、２１・・・焦点調節部、２３・・・フォーカスレンズ、３０・・・制御部、３２・・・調光ミラー制御部。
【図１】
2008304576.tif 000003
【図２】
2008304576.tif 000004
【図３】
2008304576.tif 000005
【図４】
2008304576.tif 000006
【図５】
2008304576.tif 000007
【図６】
2008304576.tif 000008
【図７】
2008304576.tif 000009
【図８】
2008304576.tif 000010